(57)【特許請求の範囲】
【請求項１】
細長い部材をルーティングし、電磁干渉に対して保護するための自己巻付型織物スリーブであって、
織り交ぜられた糸から作成された細長い壁を含み、前記糸のうちの少なくとも１本は熱硬化性ポリマー糸であり、該熱硬化性ポリマー糸は熱硬化され、前記壁を前記スリーブの長手方向中心軸を中心とする自己巻付型構成となるように付勢して、両縁が互いに重なり合う関係になるようにして、細長い部材を受ける略管状の空洞を提供し、
前記糸のうちの少なくとも１本は、アルミニウムのコアと銅の外層とを有する二成分金属ワイヤとして提供される、自己巻付型織物スリーブ。
【請求項２】
前記壁は、複数の前記少なくとも１本の熱硬化性ポリマー糸から織られており、前記熱硬化性ポリマー糸のうちの少なくとも数本はよこ方向に延在している、請求項１に記載の自己巻付型織物スリーブ。
【請求項３】
複数の前記二成分金属ワイヤを含み、前記二成分金属ワイヤのうちの少なくとも数本は、前記長手方向中心軸に略平行に延在しており、前記二成分金属ワイヤのうちの少なくとも数本は、前記長手方向中心軸を横切るよこ方向に延在している、請求項２に記載の自己巻付型織物スリーブ。
【請求項４】
たて方向に延在する前記二成分金属ワイヤは、前記よこ方向に延在する前記二成分金属ワイヤと電気的に通じている、請求項３に記載の自己巻付型織物スリーブ。
【請求項５】
細長い部材をルーティングし、電磁干渉に対して保護するための自己巻付型織物スリーブを作成する方法であって、
熱硬化性ポリマー糸を、アルミニウムのコアと銅の外層とを有する二成分金属糸と織り交ぜて、両端間で延在する両縁を有する細長い壁を形成するステップと、
熱硬化性ポリマー糸を熱硬化し、壁の両縁をスリーブの長手方向中心軸を中心とする自己巻付型構成となるように付勢して、両縁が互いに重なり合う関係になるようにして、細長い部材を受ける略管状の空洞を形成するステップとを含む、方法。
【請求項６】
熱硬化性ポリマー糸のうちの少なくとも数本を、長手方向中心軸を横切るよこ方向に織り、二成分金属糸のうちの少なくとも数本を、長手方向中心軸に略平行に延在するたて方向に織るステップをさらに含み、二成分金属糸のうちの少なくとも数本はよこ方向に延在している、請求項５に記載の方法。
【請求項７】
たて方向に延在する二成分金属糸を、よこ方向に延在する二成分金属糸と電気的に通じさせるステップをさらに含む、請求項６に記載の方法。
【発明の詳細な説明】
【技術分野】
【０００１】
発明の背景
１．技術分野
この発明は一般に、細長い部材を保護するためのスリーブに関し、より特定的には自己巻付型織物スリーブに関する。
【背景技術】
【０００２】
２．関連技術
自動車、航空機または宇宙船などにおいてワイヤおよびワイヤハーネスを保護スリーブ内に包み、摩耗、流体効果および熱的効果に対してワイヤに保護を提供することは、公知である。所望の保護を達成するために、保護スリーブは複数の層を有していてもよく、それらの層のうちのいくつかは、異なるタイプの保護のために具体的に提供されている。たとえば、プラスチック材料のシートといったある層が防水のために提供され、一方、別の層が耐摩耗性のために提供され、不織布層といったさらに別の層が熱的条件に対する保護のために提供され、銅線で作成されたさらに別の層が電磁干渉に対する保護のために提供される場合がある。残念ながら、前述の多層スリーブはさまざまなな環境および電磁条件に対して好適な保護を提供し得るものの、それらは典型的には、特に中実の銅線に起因してかさ高くて質量が大きく、そのため比較的重く、また、限定された柔軟性を呈する。これは、いくつかの用途、特に細く曲がりくねったエリアを通るルーティングを必要とする用途、および重量制限のある用途、たとえば航空機および航空宇宙用途などにおいては厄介であるということがわかっている。加えて、多層スリーブは典型的には、コストの上昇につながる。
【発明の概要】
【課題を解決するための手段】
【０００３】
発明の概要
この発明の一局面は、細長い部材をルーティングし、電磁干渉に対して保護するための自己巻付型織物スリーブを提供する。スリーブは、織り交ぜられた糸から作成された細長い壁を有する。糸のうちの少なくとも１本は熱硬化性ポリマー糸として提供され、該熱硬化性ポリマー糸は熱硬化され、壁をスリーブの長手方向中心軸を中心とする自己巻付型構成となるように付勢して、両縁が互いに重なり合う関係になるようにして、細長い部材を受ける略管状の空洞を提供する。また、糸のうちの少なくとも１本は、アルミニウムのコアと銅の外層とを有する二成分金属ワイヤとして提供される。
【０００４】
この発明の別の局面によれば、自己巻付型織物スリーブは、複数のポリマー糸から織られており、ポリマー糸のうちの少なくとも数本はよこ方向に延在している。
【０００５】
この発明の別の局面によれば、自己巻付型織物スリーブは、複数の二成分糸で織られている。二成分糸のうちの少なくとも数本は、長手方向中心軸に略平行に延在しており、二成分糸のうちの少なくとも数本は、長手方向中心軸を横切るよこ方向に延在している。
【０００６】
この発明の別の局面によれば、細長い部材をルーティングし、電磁干渉に対して保護するための自己巻付型織物スリーブを作成する方法が提供される。方法は、熱硬化性ポリマー糸を、アルミニウムのコアと銅の外層とを有する二成分金属糸と織り交ぜて、両端間で延在する両縁を有する細長い壁を形成するステップと、さらに、熱硬化性ポリマー糸を熱硬化し、壁の両縁をスリーブの長手方向中心軸を中心とする自己巻付型構成となるように付勢して、両縁が互いに重なり合う関係になるようにして、細長い部材を受ける略管状の空洞を形成するステップとを含む。
【０００７】
この発明の別の局面によれば、方法は、ポリマー糸のうちの少なくとも数本を、長手方向中心軸を横切るよこ方向に織り、二成分糸のうちの少なくとも数本を、長手方向中心軸に略平行に延在するたて方向に織るステップを含み、二成分糸のうちの少なくとも数本はよこ方向に延在している。
【０００８】
この発明の別の局面によれば、方法は、たて方向に延在する二成分糸を、よこ方向に延在する二成分糸と電気的に通じさせるステップを含む。
【０００９】
図面の簡単な説明
これらのならびに他の局面、特徴、および利点は、以下の現在好ましい実施形態および最良の形態の詳細な説明、添付された請求項、ならびに添付図面に鑑みて、当業者には容易に明らかであろう。
【図面の簡単な説明】
【００１０】
【図１】細長い部材を内部に担持して保護する、この発明の一局面に従って作成された織物製の自己巻付型スリーブの概略斜視部分図である。
【図２】図１の丸で囲まれたエリア２の部分図である。
【図３】図１のスリーブの二成分金属糸の斜視図である。
【発明を実施するための形態】
【００１１】
好ましい実施形態の詳細な説明
図面をより詳細に参照すると、図１は、この発明の一局面に従って作成された、以下にスリーブ１０と呼ばれる織物製の自己巻付型スリーブの概略図を示す。スリーブ１０は自己巻付型の細長い壁１２を有しており、それは、熱形成されると、たとえばワイヤまたはワイヤハーネス１４などの細長い部材をルーティングし、摩耗、熱的条件および他の環境条件への露出、たとえば流体への露出から、ならびに電磁干渉（ＥＭＩ）に対して保護するためのものである。細長い壁１２は、複数の織り交ぜられた熱硬化性ポリマー糸１６と、ＥＭＩに対する保護の提供を容易にするための、二成分ワイヤ１８とも呼ばれる複数の二成分金属糸とから作成され、二成分ワイヤ１８は、アルミニウムワイヤのコア２０と銅の外層２２とからなる。ポリマー糸１６は熱硬化され、壁１２を長手方向中心軸２４を中心とする自己巻付型の管状構成となるように付勢して、長さ方向に延在する両縁２６、２８が互いに重なり合う関係になるようにし、加えて、細長い部材１４がＥＭＩに対して保護されるようにする。
【００１２】
壁１２は、長さ、直径、および壁厚を含め、任意の好適なサイズを有して作成され得る。両縁２６、２８は、両端３２、３４間で中心軸２４と略平行に延在する。壁１２が、外部から印加される力がほぼない状態でその自己巻付型の管状構成となっている場合、縁２６、２８は、空洞３０を周方向に完全に囲むように互いに少なくとも若干重なり合っており、このため、壁１２は、壁１２の全周の周りで、空洞３０内に含まれるワイヤ１４に、ＥＭＩに対する強化された保護を提供する。外部から印加される力を受けると、縁２６、２８は、互いから離れるように容易に延在可能であり、少なくとも部分的に開いて空洞３０を露出する。したがって、ワイヤ１４は容易に、組立中に空洞３０内に配置され、または整備中に空洞３０から取外され得る。外部から印加される力を解除すると、縁２６、２８は、ポリマー糸１６内でそれらがカールした構成で熱硬化された結果与えられる付勢を受けて、自動的に戻る。
【００１３】
壁１２は、少なくとも部分的に、多繊維および／または単繊維ポリマー糸１６から作成可能であり、糸１６のうちの少なくとも１本以上は熱硬化性である。たとえば、糸１６のうちの１本以上は、たとえば硫化ポリフェニレン（ＰＰＳ）などの熱硬化性ポリマー材料として提供可能であり、それは摂氏約２００〜２２５度の温度で熱硬化可能である。壁１２は、少なくとも長手方向中心軸２４を横切るよこ方向に延在する熱硬化性糸１６から織られており、さらに、長手方向中心軸２４と略平行なたて方向に延在するように織られ得る。また、二成分の銅被覆アルミニウムワイヤ１８は、よこ方向およびたて方向の少なくとも一方で、好ましくはたて方向およびよこ方向の双方で織られて、互いに導通して電気的に接触するようになっており、ＥＭＩに対する保護を強化する。二成分ワイヤ１８はアルミニウムのコア２０を有しているため、ワイヤは、中実の銅線に比べて質量が減少しており、このため、重量が減少したスリーブ１０を提供する。一方、二成分ワイヤ１８の外層は銅層２０として提供されているため、ワイヤ１８には、ＥＭＩに対する所望の保護を提供するのに必要な導電性が提供される。
【００１４】
上述の教示に鑑みて、この発明の多くの変更および変形が明らかに可能である。したがって、添付された請求項の範囲内で、この発明が具体的に説明されたこと以外の態様で実践され得る、ということが理解されるはずである。
【図１】
0006412095.tif 000002
【図２】
0006412095.tif 000003
【図３】
0006412095.tif 000004